(57)【特許請求の範囲】
【請求項１】
装置本体に対して開閉可能な開放体を開放状態で保持可能な開放体開閉構造において、
一端が装置本体に回転自在に取付けられ、他端が開放体に対してスライド可能に取付けられたステーと、
開放体に配設され、開放体の開放時に前記ステーと係合し開放状態を保持する係合部を一端に有するガイド溝と、
開放体に変位可能に取付けられ、開放体を閉鎖するための取手と、
前記取手の変位に連動して移動する移動部材と、
を設け、開放体を閉鎖するために前記取手を変位させると、前記取手に連動して前記移動部材が移動し、前記移動部材の一端が前記ステーを回動させて、前記ガイド溝の係合部から前記ステーを押し出すことにより、開放保持状態を自動的に解除することを特徴とする開放体開閉構造。
【請求項２】
装置本体に対して開閉可能な開放体を開放状態で保持可能な開放体開閉構造において、
一端が装置本体に回転自在に取付けられ、他端が開放体に対してスライド可能に取付けられたステーと、
開放体に移動可能に取付けられ、開放体が開放状態で前記ステーのスライドを阻止して開放体を保持するリミッタと、
開放体に変位可能に取付けられ、開放体を閉鎖するための取手と、
前記取手の変位を検知する検知手段と、
前記検知手段により変位を検知すると、前記リミッタを前記ステーの規制を解除する方向に移動させる駆動手段と、
を設け、開放体を閉鎖するために前記取手を変位させると、前記検知手段が前  記取手の変位を検知して、前記駆動手段により前記リミッタを前記ステーの規制を解除する方向に移動させ、前記ステーをスライド可能とすることにより、開放保持状態を自動的に解除することを特徴とする開放体開閉構造。
【発明の詳細な説明】
【０００１】
【発明の属する技術分野】
本発明は、金融機関で使用される自動取引装置における開閉パネルの開閉構造のような、装置本体に対して開閉可能な開放体の開閉構造に関する。
【０００２】
【従来の技術】
一般に従来の自動取引装置においては、保守作業を行うために装置本体に対して開閉可能な開放パネルや扉を備えている。このうち開放パネルは上方に開くようになっており、保守作業を行う場合には開放パネルを開放状態で保持する必要がある。そのために開放パネルには開放状態を保持するためのガススプリングが装置本体との間に取付けられている。しかしながらガススプリングだけでは開放状態が不安定になるので、開放パネルが下がるのを防止するための安全策としてストッパが設けられている。したがって保守作業を行っている間は、ストッパを掛けておき、保守作業が終わるとストッパを解除して開放パネルを閉じるようにしている。
【０００３】
【発明が解決しようとする課題】
しかしながら上記従来の開閉構造においては、開放パネルを閉じる際には、一方の手で開放パネルを下げ、他方の手でストッパを解除して閉じるか、あるいは先にストッパを解除してからその後開放パネルを下げるようにして閉じるようにしているので、操作性が悪い。さらにストッパを解除しないまま開放パネルを閉めようとすると、開放パネルに無理な力が加わり、破損する恐れがあった。
【０００４】
【課題を解決するための手段】
上記課題を解決するために本発明は、装置本体に対して開閉可能な開放体を開放状態で保持可能な開放体開閉構造において、一端が装置本体に回転自在に取付けられ、他端が開放体に対してスライド可能に取付けられたステーと、開放体に配設され、開放体の開放時に前記ステーと係合し開放状態を保持する係合部を一端に有するガイド溝と、開放体に変位可能に取付けられ、開放体を閉鎖するための取手と、前記取手の変位に連動して移動する移動部材とを設けたものである。
【０００５】
上記構成によれば、開放体を閉じる場合、取手を変位させると移動部材が移動して、前記移動部材の一端が前記ステーを回動させて、前記ガイド溝の係合部から前記ステーを押し出すことにより、前記ステーがスライド可能になる。これにより開放体は閉じることが可能になる。即ち、取手の操作だけで開放体を閉じることができる。
【０００６】
さらに本発明は、一端が装置本体に回転自在に取付けられ、他端が開放体に対してスライド可能に取付けられたステーと、開放体に移動可能に取付けられ、開放体が開放状態で前記ステーのスライドを阻止して開放体を保持するリミッタと、開放体に変位可能に取付けられ、開放体を閉鎖するための取手と、前記取手の変位を検知する検知手段と、前記リミッタを前記ステーの規制を解除する方向に移動させる駆動手段とを設けたものである。
【０００７】
上記構成によれば、開放体を閉じる場合、取手を操作するとその操作による取っ手の変位を前記検知手段が検知して駆動手段が駆動し、リミッタを前記ステーの規制を解除する方向に移動させる。リミッタの移動によりステーがスライド可能になり、開放体を閉じることが可能になる。即ち、この構成においても、取手の操作だけで開放体を閉じることができる。
【０００８】
【発明の実施の形態】
以下、本発明の実施の形態を図面にしたがって説明する。図１は本発明の第１の実施の形態を示す構造斜視図、図２は本実施の形態を適用する自動取引装置を示す斜視図、図３は第１の実施の形態を示す側面図、図４は図３のＺ−Ｚ矢視図である。
【０００９】
図２において、自動取引装置のキャビネット１には開放パネル２と扉３がともに開閉可能に取付けられている。開放パネル２は回転支点４を中心にして上方へ開く構造になっており、キャビネット１の内部にはカード読取りユニット５やジャーナル印字ユニット６等が実装されている。扉３は左右方向に開くようになっている。開放パネル２とキャビネット１との間にはガススプリング７が取付けられている。
【００１０】
図１、図３、図４において、開放パネル２は蝶番１１によりキャビネット１に対して開閉可能になっている。キャビネット１にはステーブラケット１４が固着されており、ステーブラケット１４にはステー１５の一端がＥリング１５ａにより回転自在に取付けられている。ステー１５の他端にはステーポスト１５ｂが固定され、また幅広部１５ｃが形成されている。ステーポスト１５ｂは、開放パネル２に固着されたステーガイドブラケット１６のガイド溝１６ａに摺動可能に嵌入している。ステーポスト１５ｂは開放パネル２の開閉動作に伴ってガイド溝１６ａ内を摺動する。ガイド溝１６ａは、係合部１６ｂ、傾斜部１６ｃおよび直線部１６ｄから構成され、係合部１６ｂにステーポスト１５ｂが入り込むことにより開放パネル２はステー１５により開放状態で保持される。
【００１１】
また、開放パネル２にはスライド板ブラケット１７が固着されている。スライド板ブラケット１７には２本のショルダスクリュー１８が設けられている。スライド板１９には２つの長孔１９ａが形成されており、この長孔１９ａにショルダスクリュー１８がはめ込まれることにより、スライド板１９がスライド板ブラケット１７に対して移動可能になっている。スライド板１９の一端には、ステー１５の幅広部１５ｃに当接可能な位置に当接部１９ｂが形成されている。スライド板１９の他端には長孔１９ｃが形成されている。長孔１９ｃの長手方向は、図３に示すように、長孔１９ａの長手方向と直交する方向である。
【００１２】
開放パネル２にはシャフトブラケット２０が固着され、シャフトブラケット２０にはシャフト２１が回転可能に取付けられている。シャフト２１には取手２３が取付けられ、取手２３はスプリング２２により図３における反時計回り方向に付勢されている。取手２３にはブラケット２３ａが形成され、ブラケット２３ａにはピン２３ｂが形成されている。ピン２３ｂはスライド板１９の長孔１９ｃに移動可能に嵌入している。
【００１３】
次に第１の実施の形態の動作を図５、図６にしたがって説明する。図５、図６は第１の実施の形態の動作を示す側面図である。ここでは開放パネルの開放状態から閉じる動作を説明する。
【００１４】
図５において、開放パネル２が開放状態のときは、ステー１５のステーポスト１５ｂがガイド溝１６ａの係合部１６ｂに入り込むことにより開放パネル２は開放状態で安定して保持される。開放パネル２を閉じる際は、まず操作者が取手２３を矢印Ａ方向に回動させる。これによりピン２３ｂがスライド板１９を押し、スライド板１９は矢印Ｂ方向に移動する。これによりスライド板１９の当接部１９ｂがステー１５の幅広部１５ｃに突き当たり、ステー１５を矢印Ｃ方向に回動させる。
【００１５】
この回動によりステーポスト１５ｂは係合部１６ｂから抜け出て傾斜部１６ｃに入り込む。開放パネル２を矢印Ｄ方向に下げると、ステーポスト１５ｂは傾斜部１６ｃ中を移動し、この過程でスライド板１９の当接部１９ｂはステー１５の幅広部１５ｃから離れる。これにより開放パネル２のそれ以上の矢印Ｄ方向への移動が可能になる。
【００１６】
図６は開放パネル２が閉じた状態を示す。図６に示すように、取手２３を離すと取手２３はスプリング２２の力により元の位置に復帰し、スライド板１９も元の位置に引き戻される。開放パネル２が閉じた状態では、ステー１５はスライド板１９とは干渉しておらず、開放パネル２を開くことができる。
【００１７】
以上のように、第１の実施の形態によれば、開放パネル２の下がり防止安全策としてのストッパとしてステー１５を設け、開放パネル２の取手２３と連動したスライド板１９によりステー１５の規制を解除するようにしたので、開放パネル２を閉じる際に片手で操作が可能になり、ストッパの解除を忘れるということもなくなり、操作性が向上する。
【００１８】
次に本発明の第２の実施の形態を説明する。図７は第２の実施の形態を示す構造斜視図、図８は第２の実施の形態を示す側面図である。
【００１９】
図７、図８において、キャビネット１にはステーブラケット１４が固着されており、ステーブラケット１４にはステー１５の一端がＥリング１５ａにより回転自在に取付けられている。ステー１５の他端にはステーポスト１５ｂが固定され、また幅広部１５ｃが形成されている。ステーポスト１５ｂは、開放パネル２に固着されたステーガイドブラケット３６のガイド溝３６ａに摺動可能に嵌入している。ステーポスト１５ｂは開放パネル２の開閉動作に伴ってガイド溝３６ａ内を摺動する。ガイド溝３６ａは、傾斜部３６ｂおよび直線部３６ｃから構成されている。開放パネル２はガススプリング７により開放状態が保持される。
【００２０】
開放パネル２にはソレノイドブラケット３７が固着されている。ソレノイドブラケット３７にはソレノイド３８が設けられ、またソレノイドブラケット３７の曲げ部分の孔３７ａにはリミッタ３９がスライド可能に取付けられている。ソレノイドブラケット３７にはまたリンク４０が支点４０ａを中心に回転可能に取付けられている、リンク４０の一端はソレノイド３８の鉄芯に回転可能に係合し、他端はリミッタ３９の一端に回転可能に係合している。リミッタ３９とソレノイドブラケット３７の間にはスプリング４１が掛け渡され、スプリング４１はリミッタ３９を常に図８に示す矢印方向に付勢している。リミッタ３９の一端３９ａはステー１５の幅広部１５ｃと係合可能な位置にある。
【００２１】
また開放パネル２には取手ブラケット４２が固着され、取手ブラケット４２にはシャフト４３が回転可能に取付けられている。シャフト４３には取手４５が取付けられ、取手４５はスプリング４４により図８における反時計回り方向に付勢されている。取手ブラケット４２にはスイッチ４６が取付けられており、取手４５を時計回り方向に変位させることによりスイッチ４６はオンする。スイッチ４６はソレノイド３８と電気的に接続されており、スイッチ４６がオンすることによりソレノイド３８は駆動される。
【００２２】
次に第２の実施の形態の動作をさらに図９を使って説明する。図９は第２の実施の形態の動作を示す側面図である。ここでも同様に開放パネルの開放状態から閉じる動作を説明する。
【００２３】
図８において、開放パネル２が開放状態のときは、リミッタ３９の一端３９ａがステー１５の幅広部１５ｃと係合し、ステー１５の移動を規制することにより開放パネル２は開放状態で安定して保持される。開放パネル２を閉じる際は、まず操作者が取手４５を矢印Ａ方向に回動させる。これによりスイッチ４６がオンし、ソレノイド３８が駆動して鉄芯が引かれる。これによりリンク４０が支点４０ａを中心に反時計回り方向に回転してリミッタ３９が矢印Ｅ方向に移動する。
【００２４】
リミッタ３９の移動によりリミッタ３９の一端３９ａがステー１５の幅広部１５ｃから離れ、ステーポスト１５ｂはガイド溝３６ａの傾斜部３６ｂを移動可能になる。ステーポスト１５ｂが移動可能になったことにより、開放パネル２は矢印Ｄ方向への移動が可能になり、閉じることができる。
【００２５】
以上のように、第２の実施の形態によれば、開放パネル２の下がり防止安全策としてのストッパとしてステー１５を設け、開放パネル２の取手４５の動きを検知してソレノイド３８を駆動することによりステー１５の規制を解除するようにしたので、開放パネル２を閉じる際に片手で操作が可能になり、ストッパの解除を忘れるということもなくなり、操作性が向上する。
【００２６】
上記各実施の形態では現金自動取引装置を例にして説明したが、上下方向に開閉し、閉める際の取手と開放状態に保つストッパを有する開放体であれば、他の装置にも適用可能である。
【００２７】
【発明の効果】
以上詳細に説明したように本発明によれば、開放パネルの下がり防止安全策としてのストッパとしてステーを設け、開放パネルの取手の動きに連動させてステーの規制を解除するようにしたので、開放パネルを閉じる際に片手で操作が可能になり、ストッパの解除を忘れるということもなくなり、操作性が向上する。またストッパの解除を忘れたままで開放パネルを閉めることもなくなるので、開放パネルの破損を未然に防止できる。
【図面の簡単な説明】
【図１】本発明の第１の実施の形態を示す構造斜視図である。
【図２】本実施の形態を適用する自動取引装置を示す斜視図である。
【図３】第１の実施の形態を示す側面図である。
【図４】図３のＺ−Ｚ矢視図である。
【図５】第１の実施の形態の動作を示す側面図である。
【図６】第１の実施の形態の動作を示す側面図である。
【図７】第２の実施の形態を示す構造斜視図である。
【図８】第２の実施の形態を示す側面図である。
【図９】第２の実施の形態の動作を示す側面図である。
【符号の説明】
１  キャビネット
２  開放パネル
１５  ステー
１６ａ  ガイド溝
１９  スライド板
２３  取手
３６ａ  ガイド溝
３８  ソレノイド
３９  リミッタ
４５  取手
４６  スイッチ
【図１】
0004231604.tif 000002
【図２】
0004231604.tif 000003
【図３】
0004231604.tif 000004
【図４】
0004231604.tif 000005
【図５】
0004231604.tif 000006
【図６】
0004231604.tif 000007
【図７】
0004231604.tif 000008
【図８】
0004231604.tif 000009
【図９】
0004231604.tif 000010